(57)【特許請求の範囲】
【請求項１】
固定部材（２）と開閉体（１）のいずれか一方に、開閉体（１）の開閉方向に互いに離間させて第１及び第２の被捕捉体（３−１、３−２）を取り付けるとともに他方に捕捉引込機構（２０）を設け、開閉体（１）の閉まり際には、第１被捕捉体（３−１）を捕捉して第１の向きに引き寄せることにより開閉体（１）を強制的に閉位置に誘導し、開閉体（１）の全開際には、第２被捕捉体（３−２）を捕捉して第１の向きとは逆向きの第２の向きに引き寄せることにより開閉体（１）を強制的に全開位置に誘導するように構成した開閉動作補助装置であって、
前記捕捉引込機構（２０）は、
第１被捕捉体（３−１）を捕捉する第１キャッチャ（３０−１）と、
第２被捕捉体（３−２）を捕捉する第２キャッチャ（３０−２）と、
第１キャッチャ（３０−１）を作動させる第１キャッチャガイド（４０−１）と、
第２キャッチャ（３０−２）を作動させる第２キャッチャガイド（４０−２）と、
両キャッチャ（３０−１、３０−２）間に張設された引っ張りばね（５０）と、
前記引っ張りばね（５０）の張力に抗して第１キャッチャ（３０−１）を第１被捕捉体（３−１）を捕捉するための待機位置に保持するための第１ロック機構（６０−１）と、
前記引っ張りばね（５０）の張力に抗して第２キャッチャ（３０−２）を第２被捕捉体（３−２）を捕捉するための待機位置に保持するための第２ロック機構（６０−２）と、を有し、
第１キャッチャ（３０−１）は、姿勢変化することによって第１被捕捉体（３−１）を捕捉するフック部（３１−１）を有し、
第１キャッチャガイド（４０−１）は、
第１キャッチャ（３０−１）に搭載され、開閉体（１）の閉まり際に第１被捕捉体（３−１）に押されて第１キャッチャ（３０−１）のフック部（３１−１）の基部側に相対的に移動するストライカ部（４１）と、
当該ストライカ部（４１）と共に移動することにより第１キャッチャ（３０−１）のフック部（３１−１）を待機状態から姿勢変化させて第１被捕捉体（３−１）を捕捉した捕捉状態に導くガイド部（４２）と、を有し、
第１ロック機構（６０−１）は、
第１キャッチャ（３０−１）のフック部（３１−１）の待機状態から捕捉状態への状態変化に伴って、第１キャッチャ（３０−１）の保持を解除するように構成され、
第２キャッチャ（３０−２）は、姿勢変化することによって第２被捕捉体（３−２）を捕捉するフック部（３１−２）を有し、
第２キャッチャガイド（４０−２）は、
第２キャッチャ（３０−２）に搭載され、開閉体（１）の全開際に第２被捕捉体（３−２）に押されて第２キャッチャ（３０−２）のフック部（３１−２）の基部側に相対的に移動するストライカ部（４１）と、
当該ストライカ部（４１）と共に移動することにより第２キャッチャ（３０−２）のフック部（３１−２）を待機状態から姿勢変化させて第２被捕捉体（３−２）を捕捉した捕捉状態に導くガイド部（４２）と、を有し、
第２ロック機構（６０−２）は、
第２キャッチャ（３０−２）のフック部（３１−２）の待機状態から捕捉状態への状態変化に伴って、第２キャッチャ（３０−２）の保持を解除するように構成され、
第１及び第２キャッチャガイド（４０−１、４０−２）のガイド部（４２）が、それぞれ第１及び第２キャッチャ（３０−１、３０−２）のフック部（３１−１、３１−２）の先端部に作用してこれを待機状態から捕捉状態に導き、
前記ガイド部（４２）には、ガイド孔（４２ａ）が設けられ、
前記フック部（３１−１、３１−２）の先端部には、前記ガイド孔（４２ａ）に係合しつつ案内されるガイド突起部（３５）が設けられていることを特徴とする開閉体閉止装置。
【請求項２】
第１、第２キャッチャガイド（４０−１、４０−２）をそれぞれ第１、第２キャッチャ（３０−１、３０−２）の基部側から先端側に常時付勢している弾性部材（４４）を有する、請求項１に記載の開閉体閉止装置。
【発明の詳細な説明】
【技術分野】
【０００１】
本発明は、引き戸や抽斗など開閉体をレールなど固定部材に対して移動可能に保持してなる開閉装置（引戸装置、抽斗装置、等）において、開閉体の開閉動作を補助する装置に関し、より詳細には、開閉体の閉まり際及び全開際に、被捕捉体を捕捉して所定の方向に引き寄せることにより開閉体を閉位置又は全開位置に誘導するように構成した開閉動作補助装置に関する。
【背景技術】
【０００２】
固定部材と開閉体のいずれか一方の部材に、開閉体の開閉方向に互いに離間させて第１及び第２の被捕捉体を取り付けるとともに他方の部材に捕捉引込機構を設け、開閉体の閉まり際には、第１被捕捉体を捕捉して第１の向きに引き寄せることにより開閉体を強制的に閉位置に誘導し、開閉体の全開際には、第２被捕捉体を捕捉して第１の向きとは逆向きの第２の向きに引き寄せることにより開閉体を強制的に全開位置に誘導するように構成した開閉動作補助装置が知られている。
【０００３】
この種の開閉動作補助装置として、図２２に示す捕捉引込機構を備えたものがある（特許文献１、特許文献２）。図２２に示す捕捉引込機構１００は、第１被捕捉体１０１−１を捕捉する第１フック部材１０２−１と、第２被捕捉体１０１−２を捕捉する第２フック部材１０２−２と、第１フック部材１０２−１を搭載して開閉体の開閉方向に移動する第１スライダ１０３−１と、第２フック部材１０２−２を搭載して開閉体の開閉方向に移動する第２スライダ１０３−２と、両スライダ１０３−１、１０３−２間に張設された引っ張りばね１０４と、第１フック部材１０２−１及び第１スライダ１０３−１を待機状態に保持する図示しない第１ロック機構と、第２フック部材１０２−２及び第２スライダ１０３−２を待機状態に保持する図示しない第２ロック機構と、を備えている。第１及び第２フック部材１０２−１、１０２−２は、第１及び第２スライダ１０３−１、１０３−２にそれぞれヒンジ部１０５を介して水平方向に回動自在に連結されている。第１及び第２フック部材１０２−１、１０２−２は、ヒンジ部１０５が設けられた基端部１０２ａと、その基端部１０２ａから延びる湾曲したフック部１０２ｂとからなる。
【０００４】
図２２に示す開閉動作補助装置の捕捉引込機構１００は、以下のように動作する。ここでは、図２３に示すように、捕捉引込機構１００が引き戸（開閉体）１の上端部をガイドするガイドレール（固定部材）２に取り付けられており、第１被捕捉体１０１−１が引き戸１の上端の閉位置側端部近傍に、第２被捕捉体１０１−２が引き戸１の上端の開位置側端部近傍に、それぞれ設けられているものとする。
【０００５】
引き戸１を開位置側から閉位置側に移動させていくと、引き戸１と共に第１被捕捉体１０１−１が閉位置側に移動し、引き戸１の閉まり際に、待機状態にある第１フック部材１０２−１の基端部１０２ａに当接する。第１フック部材１０２−１は、その基端部１０２ａが第１被捕捉体１０１−１に押されることにより回動し、そのフック部１０２ｂで第１被捕捉体１０１−１を捕捉する。第１フック部材１０２−１が待機状態から第１被捕捉体１０１−１を捕捉した捕捉状態に変化する過程で、第１ロック機構による第１スライダ１０３−１の保持が解かれる。そして、引っ張りばね１０４による第１フック部材１０２−１及び第１スライダ１０３−１の引き込みが開始される。この動作により、引き戸１が閉位置に強制的に誘導される。
【０００６】
これとは逆に、引き戸１を閉位置側から開位置側に移動させていくと、引き戸１と共に第２被捕捉体１０１−２が開位置側に移動し、引き戸１が全開位置に達する間際に、待機状態にある第２フック部材１０２−２の基端部１０２ａに当接する。第２フック部材１０２−２は、その基端部１０２ａが第２被捕捉体１０１−２に押されることにより回動し、そのフック部１０２ｂで第２被捕捉体１０１−２を捕捉する。第２フック部材１０２−２が待機状態から第２被捕捉体１０１−２を捕捉した捕捉状態に変化する過程で、第２ロック機構による第２スライダ１０３−２の保持が解かれる。そして、引っ張りばね１０４による第２フック部材１０１−２及び第２スライダ１０３−２の引き込みが開始される。この動作により、引き戸１が全開位置に強制的に誘導される。
【先行技術文献】
【特許文献】
【０００７】
【特許文献１】特開２０１０−１５６１９９号公報
【特許文献２】特開２００８−１４４５６７号公報
【発明の概要】
【発明が解決しようとする課題】
【０００８】
特許文献１及び２記載の捕捉引込機構１００によれば、引き戸（開閉体）１の閉まり際には、第１被捕捉体１０１−１を第１フック部材１０２−１で捕捉して閉位置側に引き寄せることにより引き戸１を強制的に閉位置に誘導することができ、引き戸１が全開状態になる間際には、第２被捕捉体１０１−２を第２フック部材１０２−２で捕捉して開位置側に引き寄せることにより引き戸１を強制的に全開位置に誘導することができる。
【０００９】
しかし、特許文献１及び２記載の捕捉引込機構１００は、引き戸１と共に移動する被捕捉体１０１−１、１０１−２が待機状態にあるフック部材１０２−１、１０２−２の基端部１０２ａに当接してこれを押すことにより、フック部材１０２−１、１０２−２を回動させて捕捉状態に導くように構成されているため、被捕捉体１０１−１、１０１−２の移動による力をフック部材１０２−１、１０２−２を回動させるために効率良く利用して被捕捉体１０１−１、１０１−２を捕捉し得る機構にはなっていない。すなわち、フック部材１０２−１、１０２−２がその基端部１０２ａを力点、ヒンジ部１０５を支点にして回動し、フック部１０２ｂの先端部を作用点にして被捕捉体１０１−１、１０１−２を捕捉するように構成されているため、てこの原理から、フック部材１０２−１、１０２−２を回動させるために比較的大きな力を要する。
【００１０】
このため、特許文献１及び２記載の捕捉引込機構１００では、閉り際や全開間際における引き戸１の勢い不足が原因で被捕捉体１０１−１、１０１−２の捕捉に失敗し、半閉まり或いは未全開のまま引き戸１が停止してしまうという不具合が生じやすい。また、フック部材１０２−１、１０２−２を回動させるために比較的大きな力を要するため、フック部材１０２−１、１０２−２が作動するたびに異音が発生するという問題もある。
また、被捕捉体１０１−１、１０１−２がフック部材１０２−１、１０２−２の基端部１０２ａに当接した瞬間及び捕捉引き込み時にヒンジ部１０５に荷重が集中的に掛かるため、ヒンジ部１０５の破損や経時的劣化による故障が発生しやすいという問題もある。
【００１１】
本発明が解決しようとする課題は、被捕捉体の移動による力を効率良く利用して被捕捉体を捕捉でき且つその際に異音が発生しにくい捕捉引込機構を備えた開閉体閉止装置を実現することにある。
【課題を解決するための手段】
【００１２】
上記課題を解決するために、本発明は、固定部材と開閉体のいずれか一方に、開閉体の開閉方向に互いに離間させて第１及び第２の被捕捉体を取り付けるとともに他方に捕捉引込機構を設け、開閉体の閉まり際には、第１被捕捉体を捕捉して第１の向きに引き寄せることにより開閉体を強制的に閉位置に誘導し、開閉体の全開際には、第２被捕捉体を捕捉して第１の向きとは逆向きの第２の向きに引き寄せることにより開閉体を強制的に全開位置に誘導するように構成した開閉動作補助装置であって、
前記捕捉引込機構は、
第１被捕捉体を捕捉する第１キャッチャと、
第２被捕捉体を捕捉する第２キャッチャと、
第１キャッチャを作動させる第１キャッチャガイドと、
第２キャッチャを作動させる第２キャッチャガイドと、
両キャッチャ間に張設された引っ張りばねと、
前記引っ張りばねの張力に抗して第１キャッチャを第１被捕捉体を捕捉するための待機位置に保持するための第１ロック機構と、
前記引っ張りばねの張力に抗して第２キャッチャを第２被捕捉体を捕捉するための待機位置に保持するための第２ロック機構と、を有し、
第１キャッチャは、姿勢変化することによって第１被捕捉体を捕捉するフック部を有し、
第１キャッチャガイドは、
第１キャッチャに搭載され、開閉体の閉まり際に第１被捕捉体に押されることにより第１キャッチャに対してそのフック部の基部側に相対的に移動するストライカ部と、
当該ストライカ部と共に移動することにより第１キャッチャのフック部を待機状態から姿勢変化させて第１被捕捉体を捕捉した捕捉状態に導くガイド部と、を有し、
第１ロック機構は、
第１キャッチャのフック部の待機状態から捕捉状態への状態変化に伴って、第１キャッチャの保持を解除するように構成され、
第２キャッチャは、姿勢変化することによって第２被捕捉体を捕捉するフック部を有し、
第２キャッチャガイドは、
第２キャッチャに搭載され、開閉体の全開際に第２被捕捉体に押されることにより第２キャッチャに対してそのフック部の基部側に相対的に移動するストライカ部と、
当該ストライカ部と共に移動することにより第２キャッチャのフック部を待機状態から姿勢変化させて第２被捕捉体を捕捉した捕捉状態に導くガイド部と、を有し、
第２ロック機構は、
第２キャッチャのフック部の待機状態から捕捉状態への状態変化に伴って、第２キャッチャの保持を解除するように構成され、
第１及び第２キャッチャガイドのガイド部が、それぞれ第１及び第２キャッチャのフック部の先端部に作用してこれを待機状態から捕捉状態に導くように構成されていることを特徴としている。
【００１３】
この構成によれば、開閉体が閉位置と全開位置との中間の位置にあるとき、両キャッチャはそれぞれのロック機構によりいずれも待機位置に保持されている。待機位置に保持されている時、各キャッチャは、待機状態すなわち、各フック部が各被捕捉体を受け入れ可能な姿勢に保持された状態になっている。
開閉体を閉める際、第１キャッチャガイドのストライカ部が第１被捕捉体に押される。これにより、第１キャッチャガイドのストライカ部が第１キャッチャのフック部の基部側に移動する。このストライカ部の移動に連動して、第１キャッチャガイドのガイド部が第１キャッチャのフック部の先端部に作用し、当該フック部の姿勢を変化させる。その結果、第１キャッチャが捕捉状態に導かれる。このとき、第１ロック機構による第１キャッチャの保持が解除され、引っ張りばねの張力による第１キャッチャの引き寄せが開始される。第１被捕捉体を捕捉した状態の第１キャッチャが引っ張りばねの張力で所定の方向に引き寄せられることにより、開閉体が強制的に閉位置に誘導される。
開閉体を開く際、第２キャッチャガイドのストライカ部が第２被捕捉体に押される。これにより、第２キャッチャガイドのストライカ部が第２キャッチャのフック部の基部側に移動する。このストライカ部の移動に連動して、第２キャッチャガイドのガイド部が第２キャッチャのフック部の先端部に作用し、当該フック部の姿勢を変化させる。その結果、第２キャッチャが捕捉状態に導かれる。このとき、第２ロック機構による第２キャッチャの保持が解除され、引っ張りばねの張力による第２キャッチャの引き寄せが開始される。第２被捕捉体を捕捉した状態の第２キャッチャが引っ張りばねの張力で所定の方向に引き寄せられることにより、開閉体が強制的に全開位置に誘導される。
【００１４】
このように、開閉体を閉める際には、第１キャッチャガイドが第１被捕捉体に押されて、第１キャッチャに対しそのフック部の基部側に相対的に移動することにより、開閉体を開く際には、第２キャッチャガイドが第２被捕捉体に押されて、第２キャッチャに対しその基部側に相対的に移動することにより、各キャッチャガイドのガイド部が各キャッチャのフック部の先端部に作用して、フック部の姿勢を変化させて捕捉状態に導くように構成したことにより、被捕捉体の移動による力を効率良く利用し、小さい力で各キャッチャのフック部を作動させて被捕捉体を捕捉することができる。
【００１５】
前記フック部の姿勢変化の形態例として、前記フック部の基部を支点にした回動又は弾性変形による姿勢変化を挙げることができる。
【００１６】
本発明の開閉体閉止装置において、前記フック部は、前記先端部より更に先端側に位置する復帰用係合部と、前記フック部が前記被捕捉体を捕捉していないにもかかわらず前記捕捉状態になっているときに、前記開閉部材の移動に伴って前記被捕捉体を前記復帰用係合部に案内するべく、前記被捕捉体の移動方向に対して前記フック部の姿勢変化方向に傾斜したテーパ面と、を有することが望ましい。
この構成によれば、フック部が被捕捉体を捕捉していないにもかかわらず、何らかの原因で、捕捉状態になっている場合でも、しかるべき向きに開閉体を移動させて、被捕捉体をフック部の復帰用係合部に係合させることにより、被捕捉体をフック部に連結することができる。そして、被捕捉体をフック部に連結した状態で、連結する際の向きとは逆向きに開閉体を移動させることにより、キャッチャを待機位置に保持された状態に復帰させることができる。
【００１７】
本発明の開閉体閉止装置において、第１、第２キャッチャとして、フック部を一体成型してなる樹脂成型品を採用することが望ましい。第１、第２キャッチャとして、フック部を一体成型してなる樹脂成型品を採用することにより、破損や経時的劣化が発生しやすいヒンジ部を省略し、故障の発生しにくい捕捉引込機構により開閉体閉止装置を実現することができる。
【００１８】
また、本発明の開閉体閉止装置において、前記ガイド部には、ガイド孔が設けられ、前記フック部の先端部には、前記ガイド孔に係合しつつ案内されるガイド突起部が設けられていることが望ましい。
また、本発明の開閉体閉止装置において、第１、第２キャッチャガイドをそれぞれ第１、第２キャッチャの基部側から先端側に常時付勢している弾性部材を有することが望ましい。
また、本発明の開閉体閉止装置において、第１、第２ロック機構は、前記フック部の先端部と前記固定部材に対し固定されている部材の一方に形成された係止突起部と、他方に形成された係止凹部とを有し、当該係止突起部と当該係止凹部とが互いに係合することにより第１、第２キャッチャを待機位置に保持することが望ましい。
【発明の効果】
【００１９】
本発明によれば、被捕捉体の移動による力を効率良く利用し、小さい力で各キャッチャのフック部を作動させて被捕捉体を捕捉することができ且つ異音が発生しにくい構成の捕捉引込機構により開閉体閉止装置を実現することができる。
【図面の簡単な説明】
【００２０】
【図１】本発明の開閉体閉止装置を備えた引き戸装置の形態例を示す部分正面図（（ａ）全開状態、（ｂ）中間状態（待機状態）、（ｃ）全閉状態）
【図２】開閉体閉止装置の捕捉引込機構の全開状態を示す斜視図
【図３】捕捉引込機構の待機状態を示す斜視図
【図４】捕捉引込機構の全閉状態を示す斜視図
【図５】捕捉引込機構の分解斜視図
【図６】（ａ）捕捉引込機構の全開状態を示す平面図  （ｂ）捕捉引込機構の全開状態を示す下面図
【図７】（ａ）捕捉引込機構の待機状態を示す平面図  （ｂ）捕捉引込機構の待機状態を示す下面図
【図８】（ａ）捕捉引込機構の全閉状態を示す平面図  （ｂ）捕捉引込機構の全閉状態を示す下面図
【図９】（ａ）捕捉引込機構と第１被捕捉体とが当接した直後の状態を示す要部平面図  （ｂ）捕捉引込機構が第１被捕捉体を捕捉した直後の状態を示す要部平面図
【図１０】（ａ）捕捉引込機構と第２被捕捉体とが当接した直後の状態を示す要部平面図  （ｂ）捕捉引込機構が第２被捕捉体を捕捉した瞬間の状態を示す要部平面図
【図１１】（ａ）捕捉引込機構が第１被捕捉体を捕捉した瞬間の状態を示す平面図  （ｂ）捕捉引込機構が第１被捕捉体を捕捉した直後における引き戸装置の状態を示す要部正面図
【図１２】（ａ）捕捉引込機構の全閉状態を示す平面図  （ｂ）全閉状態の引き戸装置の要部正面図
【図１３】（ａ）捕捉引込機構が第２被捕捉体を捕捉した直後の状態を示す平面図  （ｂ）捕捉引込機構が第２被捕捉体を捕捉した直後における引き戸装置の状態を示す要部正面図
【図１４】（ａ）捕捉引込機構の全開状態を示す平面図  （ｂ）全開状態の引き戸装置の要部正面図
【図１５】（ａ）待機状態であるべき捕捉引込機構が捕捉状態になっている場合を例示する要部下面図  （ｂ）待機状態復帰機構が働き始める瞬間の要部下面図  （ｃ）待機状態復帰機構により第２被捕捉体と捕捉引込機構とが連結された直後の状態を示す要部下面図
【図１６】本発明の別の実施形態を示す要部下面図解斜視図
【図１７】捕捉引込機構の分解斜視図
【図１８】（ａ）捕捉引込機構の全開状態を示す平面図  （ｂ）捕捉引込機構の全開状態を示す下面図
【図１９】（ａ）捕捉引込機構と第１被捕捉体とが当接した直後の状態を示す要部平面図  （ｂ）捕捉引込機構が第１被捕捉体を捕捉した直後の状態を示す要部平面図
【図２０】（ａ）捕捉引込機構と第２被捕捉体とが当接した直後の状態を示す要部平面図  （ｂ）捕捉引込機構が第２被捕捉体を捕捉した瞬間の状態を示す要部平面図
【図２１】（ａ）待機状態であるべき捕捉引込機構が捕捉状態になっている場合を例示する要部下面図  （ｂ）待機状態復帰機構が働き始める瞬間の要部下面図  （ｃ）待機状態復帰機構により第２被捕捉体と捕捉引込機構とが連結された直後の状態を示す要部下面図
【図２２】従来の開閉体閉止装置の捕捉引込機構を例示する要部平面図
【図２３】従来の開閉体閉止装置を備えた引き戸装置を例示する部分正面図
【発明を実施するための形態】
【００２１】
以下、本発明を実施するための最良の形態について説明する。この実施形態では、本発明を引き戸装置用の開閉体閉止装置に適用した場合を例にとり説明する。
【００２２】
［第１の形態例］
図１（ａ）、（ｂ）、（ｃ）は、本発明の開閉体閉止装置を備えた引き戸装置の形態例を示す部分正面図である。（ａ）は全開状態を、（ｂ）は中間状態（待機状態）を、（ｃ）は全閉状態を、それぞれ示している。
図１に示す引き戸装置は、建物の開口部を開閉する引き戸（開閉体）１と、引き戸１を全閉位置（図１（ｃ）の位置）及び全開位置（図１（ａ）の位置）に誘導する開閉体閉止装置１０と、を有している。
【００２３】
開閉体閉止装置１０は、引き戸１をその上方に敷設されているガイドレール（固定部材）２に沿わせて案内するべく引き戸２の上端に取り付けられた一対のガイド部材（第１、第２被捕捉体）３−１、３−２と、ガイドレール２に設けられた捕捉引込装置（捕捉引込機構）２０と、を有している。ガイド部材３−１、３−２は、引き戸１の開閉方向（左右方向）両端近傍に設けられ、引き戸１の上端面から上方に突出している。捕捉引込装置２０は、ガイドレール２の長さ方向（左右方向）中央部に取り付けられている。以下、図に向かって右側（全閉位置側）のガイド部材を第１ガイド部材（第１被捕捉体）３−１とし、図に向かって左側（全開位置側）のガイド部材を第２ガイド部材（第２被捕捉体）３−２とする。
この開閉体閉止装置１０は、引き戸１の閉まり際には、第１ガイド部材３−１を捕捉して矢印Ａの向き（第１の向き）に引き寄せることにより引き戸１を強制的に全閉位置に誘導し、引き戸１の全開際には、第２ガイド部材３−２を捕捉して矢印Ｂの向き（第２の向き）に引き寄せることにより引き戸１を強制的に全開位置に誘導する
【００２４】
図２乃至図４は第１形態例の捕捉引込装置２０の斜視図であり、それぞれ全開状態、中間状態及び全閉状態を示している。図５は第１形態例の捕捉引込装置２０の分解斜視図である。図６（ａ）、（ｂ）は、第１形態例の捕捉引込装置２０の全開状態における平面図及び下面図である。図７（ａ）、（ｂ）は、第１形態例の捕捉引込装置２０の中間状態（待機状態）における平面図及び下面図である。図８（ａ）、（ｂ）は、第１形態例の捕捉引込装置２０の全閉状態における平面図及び下面図である。図９（ａ）、（ｂ）は、第１形態例の捕捉引込機構２０の要部平面図であり、それぞれ捕捉引込機構と第１ガイド部材３−１とが当接した瞬間の状態及び捕捉状態を示している。図１０（ａ）、（ｂ）は、第１形態例の捕捉引込機構２０の要部平面図であり、それぞれ捕捉引込機構と第２ガイド部材３−２とが当接した瞬間の状態及び捕捉状態を示している。
【００２５】
捕捉引込装置２０は、樹脂製の本体２１と蓋体２２とを有している。本体２１は、細長い箱状の部材であり、その長手方向の両端部分を残して上方に開口した矩形状の空間を有している。その開口部を塞ぐべく、本体２１の上部に蓋体２２が取り付けられる。
本体２１の底部には、両ガイド部材３−１、３−２の通路となるスリット２３が本体２１の全長に亘って形成されている。スリット２３は、本体２１の幅方向（前後方向）中央部に形成されている。
蓋体２２の幅方向（前後方向）中央部には、後述する第１キャッチャ３０−１、第２キャッチャ３０−２、第１キャッチャガイド４０−１、及び第２キャッチャガイド４０−２をガイドするためのガイドスリット２２ａが蓋体２２の長手方向に沿って形成されている。
【００２６】
図５に示すように、捕捉引込装置２０は、第１ガイド部材３−１を捕捉する第１キャッチャ３０−１と、第２ガイド部材３−２を捕捉する第２キャッチャ３０−２と、第１キャッチャ３０−１を作動させる第１キャッチャガイド４０−１と、第２キャッチャ３０−２を作動させる第２キャッチャガイド４０−２と、両キャッチャ３０−１、３０−２間に張設された引っ張りばね５０と、引っ張りばね５０の張力に抗して第１キャッチャ３０−１を第１ガイド部材３−１を捕捉するための待機位置に保持するための第１ロック機構６０−１（図７（ｂ）参照）と、引っ張りばね５０の張力に抗して第２キャッチャ３０−２を第２ガイド部材３−２を捕捉するための待機位置に保持するための第２ロック機構６０−２（図７（ｂ）参照）と、引き戸２の閉まり際及び全開際に圧縮され反発することにより制動力を発生する直動式のダンパユニット（緩衝機構）７０と、を有している。
【００２７】
第１キャッチャ３０−１は、それ自体が水平方向に弾性変形することによって第１ガイド部材３−１を捕捉する第１フック部３１−１を有する樹脂成型品であり、引き戸１の開閉方向にスライド可能に本体２１内に収容されている。
【００２８】
第１フック部３１−１は、その先端を引き戸１の閉位置側（図の右側）に向けて、第１キャッチャ３０−１の長手方向の基端（図の左側の端）３３ｂ寄りの位置に設けられている。第１フック部３１−１は、弾性変形しやすいように薄厚に形成された矩形板状のアーム部３１ａと、第１ガイド部材３−１に係合してこれを捕捉するべくアーム部３１ａの先端に形成された捕捉部３１ｂと、を有している。
第１キャッチャ３０−１の底部には、第１ガイド部材３−１の通路となるスリット３２が形成されている。このスリット３２は、第１キャッチャ３０−１の先端３３ａから第１フック部３１−１の基部に延びており、本体２１のスリット２３と上下に重なっている。
【００２９】
第１フック部３１−１は、これが自然状態のとき、捕捉部３１ｂとスリット３２の内壁３２ａとの間隔が第１ガイド部材３−１を受け入れ可能な間隔Ｄ１に開いた待機状態にある（図９（ａ）参照）。そして、第１フック部３１−１自体がスリット３２の内壁３２ａ側に弾性変形させられることによって捕捉状態すなわち、第１ガイド部材３−１を捕捉部３１ｂで係止して捕捉した状態になる（図９（ｂ）参照）。
【００３０】
第１フック部３１−１の先端部には、ガイド突起部３５と係止突起部（第１係止部）３４とが形成されている。ガイド突起部３５は、後述するガイド孔４２ａに係合しつつ案内される突起部であり、捕捉部３１ｂの先端近傍上面に上方に突出させて設けられている。
【００３１】
係止突起部３４は、捕捉部３１ｂの基端部に下方に突出させて設けられている。本体２１の底部には、この係止突起部３４と係脱する係止凹部（第２係止部）２４が形成されている（図５参照）。係止凹部２４は、本体２１の底部のスリット２３の中間部に形成されている。そして、係止突起部３４と係止凹部２４とが互いに係合することにより第１フック部３１−１が待機状態になるとともに第１キャッチャ３０−１が待機位置に保持され、第１フック部３１−１の待機状態から捕捉状態への状態変化に伴って、係止突起部３４と係止凹部２４との互いの係合が解かれるように構成されている。すなわち、この実施形態では、第１ロック機構６０−１が第１フック部３１−１の先端部に形成された係止突起部３４と、本体２１の底部に形成された係止凹部２４と、により構成されている。
【００３２】
第１フック部３１−１は、待機状態復帰機構８０を備えている。待機状態復帰機構８０は、捕捉部３１ｂよりも更に先端側に位置する復帰用係合部８１と、復帰用係合部８１から更に先端側に延びるテーパ面８２とを有する。テーパ面８２は、第１フック部３１−１が第１ガイド部材３−１を捕捉していないにもかかわらず、何らかの原因で捕捉状態になっているときに、引き戸１の開側への移動に伴って第１ガイド部材３−１を復帰用係合部８１へ案内するべく、第１ガイド部材３−１の移動方向に対して第１フック部３１−１の弾性変形方向に傾斜している。
【００３３】
第１キャッチャガイド４０−１は、第１キャッチャ３０−１に搭載されている。第１キャッチャガイド４０−１は、第１フック部３１−１と第１キャッチャ３０−１の内側面３２ａとの間に介在し、引き戸２の閉まり際に第１ガイド部材３−１に押されて第１フック部３１−１の基部に移動するストライカ部４１と、第１フック部３１−１の基部側へのストライカ部４１の移動に連動して、第１フック部３１−１を強制的に弾性変形させて第１ガイド部材３−１を捕捉した捕捉状態に導くガイド部４２と、を有している。
【００３４】
ガイド部４２は、ストライカ部４１の上端部に一体的に設けられている。ガイド部４２は、平板状に形成され、その下面が第１キャッチャ３０−１の上面３０ａに摺接している。ガイド部４２は、ストライカ部４１から第１キャッチャ３０−１の先端３３ａ側に大きく張り出している。この張り出している部分に、第１フック部３１−１のガイド突起部３５を水平方向に案内する円弧状のガイド孔４２ａが設けられている。
【００３５】
ストライカ部４１の後端とスリット３２の最奥部との間には、コイルスプリング（弾性部材）４４が設けられている。コイルスプリング４４は、ストライカ部４１の後端部に形成された穴４０ａに挿入されており、ストライカ部４１がスリット３２の最奥部に当接しているときには、圧縮された状態で穴４０ａ内に収容されている（図９（ｂ）参照）。第１キャッチャガイド４０−１は、このコイルスプリング４４の弾性反発力によって第１キャッチャ３０−１の先端３３ａ側に常時付勢されている。
【００３６】
第１フック部３１−１の待機状態から捕捉状態への状態変化は、引き戸２を閉める際に、第１キャッチャガイド４０−１のストライカ部４１が第１ガイド部材３−１に当接して押されることによりなされる。図９（ａ）中の矢印Ｃは、第１ガイド部材３−１が第１キャッチャガイド４０−１のストライカ部４１を押す力の向きを示している。この力に押されて第１キャッチャガイド４０−１のストライカ部４１がフック部３１−１の基部側に移動することにより、ガイド部４２もストライカ部４１と共に移動する。そして、ガイド部４２の移動に伴って第１フック部３１−１のガイド突起部３５がガイド孔４２ａに沿って案内される。その結果、図９（ａ）中に矢印Ｄで示すように、第１フック部３１−１が第１キャッチャ３０−１の内側面３２ａ側に弾性変形（姿勢変化）し、図９（ｂ）に示す捕捉状態になる。
【００３７】
第１キャッチャ３０−１の上面及び第１キャッチャガイド４０−１の上面には、これらの移動方向に延びる直線状のガイド突起３０ｂ、４０ｂが上方に突出させて各々設けられている。ガイド突起３０ｂ、４０ｂは、蓋体２２のガイドスリット２２ａに摺動可能に嵌合している。第１キャッチャ３０−１の上面及び第１キャッチャガイド４０−１は、それぞれのガイド突起３０ｂ、４０ｂが蓋体２２のガイドスリット２２ａに案内されることにより、本体２１の長手方向に直線的に案内される。
【００３８】
第１キャッチャ３０−１の先端部（図の右側端部）の後部には、引張りばね５０を連結するための連結部３６−１が形成され、ここに引張りばね５０の一方の端部５１がその括れた部分を係合させて連結されている。引張りばね５０のもう一方の端部５２は、第２キャッチャ３０−２の連結部３６−２に連結されている。
【００３９】
第１キャッチャ３０−１の後端部（図の左側端部）の前部には、ダンパユニット７０を連結するための連結部３７が形成され、ここにダンパユニット７０の出力軸７０Ａの先端部７０ａがその括れた部分を係合させて連結されている。この例では、連結部３７は、第１キャッチャ３０−１の後端前側の角部分を直角に切欠いて形成された凹部３８の後端面部に設けられている。ダンパユニット７０は、出力軸７０Ａと、出力軸７０Ａを軸方向に進退自在に保持している中空円筒状のユニット本体７０Ｂとを有する。ユニット本体７０Ｂ内には、出力軸７０Ａの縮長方向への移動に制動力を作用させるオイルなどの抵抗流体（図示省略）が充填されている。ユニット本体７０Ｂは、第２キャッチャ３０−２に保持されている。
【００４０】
第２キャッチャ３０−２は、それ自体が水平方向に弾性変形することによって第２ガイド部材３−２を捕捉する第２フック部３１−２を有する樹脂成型品であり、引き戸１の開閉方向にスライド可能に本体２１内に収容されている。第２キャッチャ３０−２は、第１キャッチャ３０−１と直列に並べて本体２１内に設けられている。
【００４１】
第２フック部３１−２は、その先端を引き戸１の開位置側（図の左側）に向けて、第２キャッチャ３０−２の長手方向の基端（図の右側の端）３３ｂ寄りの位置に設けられている。
第２フック部３１−２は、弾性変形しやすいように薄厚に形成された矩形板状のアーム部３１ａと、第２ガイド部材３−２に係合してこれを捕捉するべくアーム部３１ａの先端に形成された捕捉部３１ｂと、を有している。
第２キャッチャ３０−２の底部には、第２ガイド部材３−２の通路となるスリット３２が形成されている。このスリット３２は、第２キャッチャ３０−２の先端３３ａからフック部３１−２の基部に延びており、本体２１のスリット２３と上下に重なっている。
【００４２】
第２フック部３１−２は、これが自然状態のとき、捕捉部３１ｂとスリット３２の内壁３２ａとの間隔が第２ガイド部材３−２を受け入れ可能な間隔Ｄ１に開いた待機状態にある（図１０（ａ）参照）。そして、第２フック部３１−２自体がスリット３２側に弾性変形させられることによって捕捉状態すなわち、第２ガイド部材３−２を捕捉部３１ｂで係止して捕捉した状態になる。
【００４３】
第２フック部３１−２の先端部には、ガイド突起部３５と係止突起部（第１係止部）３４とが形成されている。ガイド突起部３５は、後述するガイド孔４２ａに係合しつつ案内される突起部であり、捕捉部３１ｂに上方に突出させて設けられている。
【００４４】
係止突起部３４は、捕捉部３１ｂの基端部に下方に突出させて設けられている。本体２１の底部には、この係止突起部３４と係脱する係止凹部（第２係止部）２４が形成されている（図５参照）。係止凹部２４は、本体２１の底部のスリット２３の中間部に形成されている。そして、係止突起部３４と係止凹部２４とが互いに係合することにより第２フック部３１−２が待機状態になるとともに第２キャッチャ３０−２が待機位置に保持され、第２フック部３１−２の待機状態から捕捉状態への状態変化に伴って、係止突起部３４と係止凹部２４との互いの係合が解かれるように構成されている。すなわち、この実施形態では、第２ロック機構６０−２が第２フック部３１−２の先端部に形成された係止突起部３４と、本体２１の底部に形成された係止凹部２４と、により構成されている。
【００４５】
第２フック部３１−２は、待機状態復帰機構８０を備えている。待機状態復帰機構８０は、捕捉部３１ｂよりも更に先端側に位置する復帰用係合部８１と、復帰用係合部８１から更に先端側に延びるテーパ面８２とを有する。テーパ面８２は、第２フック部３１−２が第２ガイド部材３−２を捕捉していないにもかかわらず、何らかの原因で捕捉状態になっているときに、引き戸１の開側への移動に伴って第２ガイド部材３−２を復帰用係合部８１へ案内するべく、第２ガイド部材３−２の移動方向に対して第２フック部３１−２の弾性変形方向に傾斜している。
【００４６】
第２キャッチャガイド４０−２は、第２キャッチャ３０−２に搭載されている。第２キャッチャガイド４０−２は、第２フック部３１−２と第２キャッチャ３０−２の内側面３２ａとの間に介在し、引き戸２の全開際に第２ガイド部材３−２に押されて第２フック部３１−２の基部に移動するストライカ部４１と、第２フック部３１−２の基部側へのストライカ部４１の移動に連動して、第２フック部３１−２を強制的に弾性変形させて第２ガイド部材３−２を捕捉した捕捉状態に導くガイド部４２と、を有している。
【００４７】
ガイド部４２は、ストライカ部４１の上端部に一体的に設けられている。ガイド部４２は、平板状に形成され、その下面が第２キャッチャ３０−２の上面３０ａに摺接している。ガイド部４２は、ストライカ部４１から第２キャッチャ３０−２の先端３３ａ側に大きく張り出している。この張り出している部分に、第２フック部３１−２のガイド突起部３５を水平方向に案内する円弧状のガイド孔４２ａが設けられている。
【００４８】
ストライカ部４１の後端とスリット３２の最奥部との間には、コイルスプリング（弾性部材）４４が設けられている。コイルスプリング４４は、ストライカ部４１の後端部に形成された穴４０ａに挿入されており、ストライカ部４１がスリット３２の最奥部に当接しているときには、圧縮された状態で穴４０ａ内に収容されている（図１０参照）。第２キャッチャガイド４０−２は、このコイルスプリング４４の弾性反発力によって第２キャッチャ３０−２の先端３３ａ側に常時付勢されている。
【００４９】
第２フック部３１−２の待機状態から捕捉状態への状態変化は、引き戸２を開く際に、第２キャッチャガイド４０−２のストライカ部４１が第２ガイド部材３−２に当接して押されることによりなされる。図１０（ａ）中の矢印Ｅは、第２ガイド部材３−２が第２キャッチャガイド４０−２のストライカ部４１を押す力の向きを示している。この力に押されて第２キャッチャガイド４０−２のストライカ部４１がフック部３１−２の基部側に移動することにより、ガイド部４２もストライカ部４１と共に移動する。そして、ガイド部４２の移動に伴って第２フック部３１−２のガイド突起部３５がガイド孔４２ａに沿って案内される。その結果、図１０（ａ）中に矢印Ｆで示すように、第２フック部３１−２が第２キャッチャ３０−２の内側面３２ａ側に弾性変形（姿勢変化）し、図１０（ｂ）に示す捕捉状態になる。
【００５０】
第２キャッチャ３０−２の上面及び第２キャッチャガイド４０−２の上面には、これらの移動方向に延びる直線状のガイド突起３０ｂ、４０ｂが上方に突出させて各々設けられている。ガイド突起３０ｂ、４０ｂは、蓋体２２のガイドスリット２２ａに摺動可能に嵌合している。第２キャッチャ３０−２の上面及び第２キャッチャガイド４０−２は、それぞれのガイド突起３０ｂ、４０ｂが蓋体２２のガイドスリット２２ａに案内されることにより、本体２１の長手方向に直線的に案内される。
【００５１】
第２キャッチャ３０−２の先端部（図の左側端部）の後部には、引張りばね５０を連結するための連結部３６−２が形成され、ここに引張りばね５０のもう一方の端部５２がその括れた部分を係合させて連結されている。
【００５２】
第２キャッチャ３０−２の前縁部には、ダンパユニット７０のユニット本体７０Ｂを保持するダンパ保持部３９が設けられている。ダンパ保持部３９は、第２キャッチャ３０−２の先端部の前端部に設けられた嵌合部３９ａと、第２キャッチャ３０−２の基端部の前端部に設けられた上弦円弧状の支承部３９ｂとを有する。ユニット本体７０Ｂは、その基端部７０Ｂｂがダンパ保持部３９の嵌合部３９ａの保持孔に圧入されるとともに、その先端部７０Ｂａが支承部３９ｂに支承されて安定に保持されている。
【００５３】
つぎに、上記のように構成された第１形態例の開閉体閉止装置１０の作用・効果について説明する。
引き戸装置が中間状態のとき（図１（ｂ））、第１、第２キャッチャ３０−１、３０−２は、それぞれ第１、第２ロック機構６０−１、６０−２により待機位置に保持されている（図３、図７）。第１、第２キャッチャ３０−１、３０−２が待機位置に保持されている時、第１、第２フック部３１−１、３１−２は共に自然状態にあり、それ自体の弾性に加えて、第１、第２フック部３１−１、３１−２の先端部に設けられているガイド突起部３５が第１、第２キャッチャガイド４０−１、４０−２によって後方（図９（ａ）、図１０（ａ）の矢印Ｄ、Ｆの向きとは逆向き）に案内されていることにより、待機状態すなわち、第１、第２フック部３１−１、３１−２の係合突起部（先端部）３１ｂとスリット３２の内壁３２ａとの間隔がそれぞれ第１、第２ガイド部材３−２を受け入れ可能な間隔Ｄ１に開いた状態にある（図９（ａ）、図１０（ａ）参照）。
【００５４】
この中間状態から引き戸２を閉めていくと、引き戸２の閉まり際に第１キャッチャガイド４０−１のストライカ部４１に第１ガイド部材３−１が当接する。ストライカ部４１は第１ガイド部材３−１に押されて第１フック部３１−１の基部側に移動する。このストライカ部４１の移動に連動して、第１キャッチャガイド４０−１のガイド部４２により第１キャッチャ３０−１の第１フック部３１−１が弾性変形させられる。その結果、第１フック部３１−１が捕捉状態すなわち、第１ガイド部材３−１を捕捉した状態になる。図１１はこのときの引き戸装置の状態を示している。第１フック部３１−１が捕捉状態になると、第１ロック機構６０−１を構成する係止突起部３４と係止凹部２４との互いの係合が解除され、引張りばね５０の張力による第１キャッチャ３０−１の引き寄せが開始される。第１ガイド部材３−１を捕捉した状態の第１フック部３１−１を一体的に有する第１キャッチャ３０−１が引張りばね５０の張力で所定の向き（矢印Ａの向き）に引き寄せられることにより、引き戸２が強制的に閉じられる。その際、ダンパユニット７０が作動し、引き戸２の急激な動きが制動されるため、引き戸２は静かに閉位置に導かれる。図１（ｃ）及び図１２はこのときの引き戸装置の状態を示している。第１フック部３１−１は、待機位置から外れると、その先端部に設けられた係止突起部３４が本体２１のスリット２３の内壁に摺接し、自然状態に戻る向きへの変形が阻止された状態になるため、これが再び待機位置に戻り、その係止突起部３４がスリット２３の中間部に設けられた係止凹部２４に係合するまで、捕捉状態が解除されることはない。
【００５５】
図１（ｃ）及び図１２に示す状態すなわち全閉状態から引き戸２を開側に移動させて行くと、第１ガイド部材３−１と共に第１キャッチャ３０−１が開側に移動する。そして、第１フック部３１−１の係止突起部３４が本体２１の係止凹部２４に係合することにより、第１フック部３１−１が待機位置に保持されるとともに、第１フック部３１−１による第１ガイド部材３−１の捕捉状態が解除され、引き戸装置が中間状態になる（図１（ｂ））。
【００５６】
そして、この中間状態を経て引き戸１を更に開側に移動させて行くと、引き戸２の全閉際に第２キャッチャガイド４０−３のストライカ部４１に第２ガイド部材３−２が当接する。ストライカ部４１は第２ガイド部材３−２に押されて第２フック部３１−２の基部側に移動する。このストライカ部４１の移動に連動して、第２キャッチャガイド４０−２のガイド部４２により第２キャッチャ３０−２の第２フック部３１−２が弾性変形させられる。その結果、第２フック部３１−２が捕捉状態すなわち、第２ガイド部材３−２を捕捉した状態になる。図１３はこのときの引き戸装置の状態を示している。第２フック部３１−２が捕捉状態になると、第２ロック機構６０−２を構成する係止突起部３４と係止凹部２４との互いの係合が解除され、引張りばね５０の張力による第２キャッチャ３０−２の引き寄せが開始される。第２ガイド部材３−２を捕捉した状態の第２フック部３１−２を一体的に有する第２キャッチャ３０−２が引張りばね５０の張力で所定の向き（矢印Ｂの向き）に引き寄せられることにより、引き戸２が強制的に全開される。その際、ダンパユニット７０が作動し、引き戸２の急激な動きが制動されるため、引き戸２は静かに全開位置に導かれる。図１（ａ）及び図１４はこのときの引き戸装置の状態を示している。第２フック部３１−２も第１フック部３１−１と同様、これが再び待機位置に戻り、その係止突起部３４がスリット２３の中間部に設けられた係止凹部２４に係合するまで、捕捉状態が解除されることはない。
【００５７】
このように、引き戸２を閉める際には、第１キャッチャガイド４０−１が第１ガイド部材３−１に押されて、第１キャッチャ３０−１に対しその第１フック部３１−１の基部側に相対的に移動することにより、引き戸２を開く際には、第２キャッチャガイド４０−２が第２ガイド部材３−２に押されて、第２キャッチャ３０−２に対しその基部側に相対的に移動することにより、各キャッチャガイド４０−１、４０−２のガイド部４２が各キャッチャ３０−１、３０−２のフック部３１−１、３１−２の先端部に作用して、それぞれのフック部３１−１、３１−２を弾性変形させて捕捉状態に導くように構成したことにより、第１、第２ガイド部材３−１、３−２それぞれの移動による力を効率良く利用し、小さい力で各キャッチャ３０−１、３０−２のフック部３１−１、３１−２を作動させて第１、第２ガイド部材３−１、３−２を捕捉することができる。小さい力で各キャッチャ３０−１、３０−２のフック部３１−１、３１−２を作動させることができるので、フック部３１−１、３１−２の作動に伴う異音の発生を抑えることができる。
そして、第１、第２キャッチャ３０−１、３０−２として、フック部３１−１、３１−２をそれぞれ一体成型してなる樹脂成型品を採用したことにより、破損や経時的劣化が発生しやすいヒンジ部を省略し、故障の発生しにくい捕捉引込機構２０により開閉体閉止装置１０を実現することができる。
【００５８】
また、この実施形態では、第１、第２フック部３１−１、３１−２が待機状態復帰機構８０を備えているので、第１、第２フック部３１−１、３１−２が第１、第２ガイド部材３−１、３−２を捕捉していないにもかかわらず、何らかの原因で捕捉状態になっている場合でも、引き戸２を移動させる操作によって、第１、第２フック部３１−１、３１−２を待機状態に復帰させることができる。図１５（ａ）は、第２フック部３１−２が第２ガイド部材３−２を捕捉していないにもかかわらず捕捉状態になっている場合を例示している。この場合、引き戸２を全開位置側の向き（矢印Ｂの向き）に移動させることにより、図１５（ｃ）に示すように、第２ガイド部材３−２を第２フック部３１−２の復帰用係合部８１に係合させることができる。その際、図１５（ｂ）に示すように、引き戸２の移動に伴って、第２フック部３１−２のテーパ面８２と第２キャッチャ３０−２のスリット３２の内壁３２ａとの間に第２ガイド部材３−２が進入する。第２フック部３１−２は、そのテーパ面８２が第２ガイド部材３−２に押されて矢印Ｇの向きに弾性変形することにより、第２ガイド部材３−２を復帰用係合部８１に受け入れる。この状態すなわち、第２ガイド部材３−２を第２フック部３１−２に連結した状態で、引き戸２を開位置側の向き（矢印Ａの向き）に移動させることにより、第２キャッチャ３０−２を待機位置に保持された状態に復帰させることができる（図７参照）。
【００５９】
なお、上記の例では、第１、第２フック部３１−１、３１−２が自然状態のときに、待機状態すなわち、第１、第２ガイド部材３−１、３−２を受け入れ可能な状態になっていて、第１、第２フック部３１−１、３１−２を第１、第２キャッチャガイド４０−１、４０−２により強制的に弾性変形させることにより捕捉状態が実現されるように構成した例について説明したが、これとは逆に、第１、第２フック部３１−１、３１−２が自然状態のときに捕捉状態になり、第１、第２ガイド部材３−１、３−２を強制的に弾性変形させることにより待機状態が実現されるように構成してもよい。
【００６０】
また、上記の例では、第１、第２フック部３１−１、３１−２が待機状態復帰機構８０を備えている装置構成について説明したが、待機状態復帰機構８０は必須の構成要素ではない。すなわち、本発明の実施形態の構成として、第１、第２フック部３１−１、３１−２のうち両方又は一方の待機状態復帰機構８０を省略した構成を採用することもできる。図１６は第２フック部３１−２の待機状態復帰機構８０を省略した場合を例示している。
【００６１】
［第２形態例］
つぎに、本発明の第２形態例について説明する。
図１７は第２形態例の捕捉引込装置２０の分解斜視図である。図１８（ａ）、（ｂ）は、第２形態例の捕捉引込装置２０の全開状態における平面図及び下面図である。図１９（ａ）、（ｂ）は、第２形態例の捕捉引込機構２０の要部平面図であり、それぞれ捕捉引込機構と第１ガイド部材３−１とが当接した瞬間の状態及び捕捉状態を示している。図２０（ａ）、（ｂ）は、第２形態例の捕捉引込機構２０の要部平面図であり、それぞれ捕捉引込機構と第２ガイド部材３−２とが当接した瞬間の状態及び捕捉状態を示している。ここでは、図１乃至図１６に示した第１形態例と一致或いは機能が共通する構成要素については同じ符号を付し、その説明を省略する。
【００６２】
図１７に示すように、第２形態例の捕捉引込装置２０は、第１、第２キャッチャ３０−１、３０−２と第１、第２フック部３１−１、３１−２とがそれぞれ別部品で構成されており、この点が第１形態例と異なる。
【００６３】
第１フック部３１−１は、水平方向に回動可能に第１キャッチャ３０−１に組み込まれている。第１フック部３１−１は、その回動支点となる円柱状の基部３１ｃを有し、基部３１ｃから第１キャッチャ３０−１の先端３３ａ側にアーム部３１ａが延びている。アーム部３１ａの背面すなわち捕捉部３１ｂが突出している側とは反対側の面の一部及び復帰用係合部８１の背面には、それぞれ、第１フック部３１−１の回動範囲を制限する突起部９１、９２が設けられている。
【００６４】
第１キャッチャ３０−１には、第１フック部３１−１の基部３１ｃが嵌合する円筒状の支持孔９３と、第１フック部３１−１の二つの突起部９１、９２がそれぞれ係脱自在に嵌合する凹部９４、９５とが設けられている。第１フック部３１−１は、その基部３１ｃが支持孔９３に回動自在に丁度嵌合することにより、がたつきなく回動可能に第１キャッチャ３０−１に保持されている。
【００６５】
第２フック部３１−２は、水平方向に回動可能に第２キャッチャ３０−２に組み込まれている。第２フック部３１−２は、その回動支点となる円柱状の基部３１ｃを有し、基部３１ｃから第２キャッチャ３０−２の先端３３ａ側にアーム部３１ａが延びている。アーム部３１ａの背面の一部及び復帰用係合部８１の背面には、それぞれ、第２フック部３１−２の回動範囲を制限する突起部９１、９２が設けられている。
【００６６】
第２キャッチャ３０−２には、第２フック部３１−２の基部３１ｃが嵌合する円筒状の支持孔９３と、第２フック部３１−２の二つの突起部９１、９２がそれぞれ係脱自在に嵌合する凹部９４、９５とが設けられている。第２フック部３１−２は、その基部３１ｃが支持孔９３に回動自在に丁度嵌合することにより、がたつきなく回動可能に第２キャッチャ３０−２に保持されている。
【００６７】
第１、第２フック部３１−１、３１−２にそれぞれ設けられている二つの突起部９１、９２は、キャッチャ３０−１、３０−２の凹部９４、９５の奥面に当接することにより、第１、第２フック部３１−１、３１−２の開き過ぎを防止する。
また、第１、第２フック部３１−１、３１−２にそれぞれ設けられている二つの突起部９１、９２のうち基部３１ｃ寄りの突起部９１は、第１、第２フック部３１−１、３１−２が待機状態、捕捉状態いずれの状態にあるときも、常にキャッチャ３０−１、３０−２の凹部９４に係合している。これにより、捕捉・引き込み時に第１、第２フック部３１−１、３１−２に掛かる負荷が基部３１ｃだけに集中するのを防止している。
【００６８】
この例においても、引き戸２を閉める際には、第１キャッチャガイド４０−１が第１ガイド部材３−１に押されて、第１キャッチャ３０−１に対しその第１フック部３１−１の基部３１ｃ側に相対的に移動することにより、引き戸２を開く際には、第２キャッチャガイド４０−２が第２ガイド部材３−２に押されて、第２キャッチャ３０−２に対しその基部３１ｃ側に相対的に移動することにより、各キャッチャガイド４０−１、４０−２のガイド部４２が各キャッチャ３０−１、３０−２のフック部３１−１、３１−２の先端部に作用する。
【００６９】
その結果、それぞれのフック部３１−１、３１−２が回動（姿勢変化）し、待機状態から捕捉状態に移行する。各キャッチャガイド４０−１、４０−２のガイド部４２が各キャッチャ３０−１、３０−２のフック部３１−１、３１−２の先端部に作用することにより、第１、第２ガイド部材３−１、３−２それぞれの移動による力を効率良く利用し、小さい力で各キャッチャ３０−１、３０−２のフック部３１−１、３１−２を作動させて第１、第２ガイド部材３−１、３−２を捕捉することができる。小さい力で各キャッチャ３０−１、３０−２のフック部３１−１、３１−２を作動させることができるので、フック部３１−１、３１−２の作動に伴う異音の発生を抑えることができる。
【００７０】
なお、第２形態例においても、待機状態復帰機構８０は必須の構成要素ではない。
【００７１】
［その他の実施形態］
本発明は上述した第１、第２形態例に限定されない。
第１、第２ガイド部材３−１、３−２を引き戸１など開閉体に取り付け、捕捉引込装置２０をガイドレール２など固定部材に取り付けた例を示したが、これとは反対に、第１、第２ガイド部材３−１、３−２をガイドレール２に取り付け、捕捉引込装置２０を引き戸２に取り付けてもよい。
【００７２】
また、上記の例では、第１、第２ロック機構６０−１、６０−２が、それぞれ第１、第２フック部３１−１、３１−２の先端部に形成された係止突起部３４と、本体（ガイドレール２に固定されている部材）２１に形成された係止凹部２４とにより構成されている例について説明したが、これとは逆に、本体２１に係止突起部３４を、第１、第２フック部３１−１、３１−２の先端部に係止突起部３４を形成してもよい。
【００７３】
また、上記の例では、ダンパユニット７０を備えている装置構成について説明したが、ダンパユニット７０は必須の構成要素ではない。
また、上記の例では、第１、第２キャッチャガイド４０−１、４０−２のガイド部４２がストライカ部４１の上端部に設けられているが、ストライカ部４１の下端部に設けてもよい。
また、本発明の開閉部材閉止装置は、開き戸装置や抽斗装置などその他の開閉装置の開閉部材閉止装置としても有効に利用可能である。
【符号の説明】
【００７４】
１  引き戸（開閉体）
２  ガイドレール（固定部材）
３−１  第１ガイド部材（第１被捕捉体）
３−２  第２ガイド部材（第２被捕捉体）
２０  捕捉引込機構
３０−１  第１キャッチャ
３０−２  第２キャッチャ
３１−１  フック部（第１フック部）
３１−２  フック部（第２フック部）
３５  ガイド突起部
４０−１  第１キャッチャガイド
４０−２  第２キャッチャガイド
４１  ストライカ部
４２  ガイド部
４２ａ  ガイド孔
４４  コイルスプリング（弾性部材）
５０  引っ張りばね
６０−１  第１ロック機構
６０−２  第２ロック機構
【図１】
0005856381.tif 000002
【図２】
0005856381.tif 000003
【図３】
0005856381.tif 000004
【図４】
0005856381.tif 000005
【図５】
0005856381.tif 000006
【図６】
0005856381.tif 000007
【図７】
0005856381.tif 000008
【図８】
0005856381.tif 000009
【図９】
0005856381.tif 000010
【図１０】
0005856381.tif 000011
【図１１】
0005856381.tif 000012
【図１２】
0005856381.tif 000013
【図１３】
0005856381.tif 000014
【図１４】
0005856381.tif 000015
【図１５】
0005856381.tif 000016
【図１６】
0005856381.tif 000017
【図１７】
0005856381.tif 000018
【図１８】
0005856381.tif 000019
【図１９】
0005856381.tif 000020
【図２０】
0005856381.tif 000021
【図２１】
0005856381.tif 000022
【図２２】
0005856381.tif 000023
【図２３】
0005856381.tif 000024